【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
透明イットリウムアルミニウムガーネットの製造方法であって、
Ｙ２Ｏ３、Ａｌ２Ｏ３、焼結助剤、分散剤および有機溶媒の混合物を形成する工程と、
前記混合物を粉砕して、第１のスラリーを生成する工程と、
前記第１のスラリーと、有機結合剤および可塑剤とを混合して、処理されたスラリーを形成する工程と、
前記処理されたスラリーを粉砕して、粉砕されたスラリーを生成する工程と、
前記粉砕されたスラリーをテープキャスティングして、成形テープを生成する工程と、
前記成形テープを乾燥して、乾燥テープを生成する工程と、
前記乾燥テープの一部を積み重ねて、アセンブリを形成する工程と、
前記アセンブリを圧縮して、プレフォームを生成する工程と、
前記プレフォームを加熱して、緑色のプレフォームを生成する工程と、
前記緑色のプレフォームを焼結して、透明イットリウムアルミニウムガーネットを生成する工程と、を含む方法。
【請求項２】
前記焼結助剤は、テトラエトキシシラン、コロイド状シリカ、酸化リチウム、酸化チタン、酸化ジルコニウム、酸化バリウム、酸化カルシウム、酸化マグネシウム、酸化ストロンチウム、酸化ホウ素、およびそれらの混合物からなる群より選択される、請求項１に記載の方法。
【請求項３】
前記分散剤は、酸化メンハーデン魚油、コハク酸、エタン二酸、プロパン二酸、グルタル酸、ヘキサン二酸、ヘプタン二酸、オクタン二酸、ノナン二酸、デカン二酸、ｏ−フタル酸、ｐ−フタル酸、ソルビタンモノオレエート、およびそれらの混合物からなる群より選択される、請求項２に記載の方法。
【請求項４】
前記有機結合剤は、ポリビニルブチラール、ポリビニルアルコール、ポリ塩化ビニル、ポリ酢酸ビニル、ポリアクリロニトリル、ポリエチレンイミン、ポリメタクリル酸メチル、塩化ビニル酢酸、およびそれらの混合物からなる群より選択される、請求項３に記載の方法。
【請求項５】
前記可塑剤は、フタル酸ブチルベンジル、フタル酸ビス（２−エチルヘキシル）、フタル酸ジイソノニル、フタル酸ビス（ｎ−ブチル）、フタル酸ブチルベンジル、フタル酸ジイソデシル、フタル酸ジ−ｎ−オクチル、フタル酸ジイソオクチル、フタル酸ジエチル、フタル酸ジイソブチル、フタル酸ジ−ｎ−ヘキシル、アジピン酸ビス（２−エチルヘキシル）、アジピン酸ジメチル、アジピン酸モノメチル、アジピン酸ジオクチル、セバシン酸ジブチル、マレイン酸ジブチル、ポリエチレングリコール、ポリプロピレングリコール、Ｎ−エチルトルエンスルホンアミド、Ｎ−（２−ヒドロキシプロピル）ベンゼンスルホンアミド、Ｎ−（ｎ−ブチル）ベンゼンスルホンアミド、リン酸トリクレジル、リン酸トリブチル、トリエチレングリコールジヘキサノエート、テトラエチレングリコールジヘプタノエート、クエン酸トリエチル、クエン酸アセチルトリエチル、クエン酸トリブチル、クエン酸アセチルトリブチル、クエン酸トリオクチル、クエン酸アセチルトリオクチル、クエン酸トリヘキシル、クエン酸アセチルトリヘキシル、クエン酸ブチリルトリヘキシル、クエン酸トリメチル、アルキルスルホン酸フェニルエステル、およびそれらの混合物からなる群より選択される、請求項４に記載の方法。
【請求項６】
前記有機溶媒は、変性エタノール、メタノール、イソプロピルアルコールおよびキシレン、シクロヘキサノン、アセトン、トルエン、メチルエチルケトン、およびそれらの混合物からなる群より選択される、請求項２に記載の方法。
【請求項７】
前記圧縮は、約５ＭＰａ〜約３０ＭＰａの圧力で行われる、請求項２に記載の方法。
【請求項８】
前記焼結は、約１６００℃〜約１９００℃で行われる、請求項２に記載の方法。
【請求項９】
前記焼結助剤は、Ｙ２Ｏ３およびＡｌ２Ｏ３の全重量に基づいて約０．０１ｗｔ％〜約５ｗｔ％である、請求項１に記載の方法。
【請求項１０】
前記混合物は、Ｌａ３＋、Ｃｅ３＋、Ｐｒ３＋、Ｎｄ３＋、Ｐｍ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋、Ｙｂ３＋、Ｌｕ３＋、およびそれらの混合物からなる群より選択される希土類ドーパントをさらに含む、請求項１に記載の方法。
【請求項１１】
前記混合物は、Ｎｄ３＋、Ｅｒ３＋、およびそれらの混合物からなる群より選択される希土類ドーパントをさらに含む、請求項１に記載の方法。
【請求項１２】
前記焼結助剤はテトラエトキシシランであり、前記分散剤は酸化メンハーデン魚油であり、前記有機結合剤はポリビニルブチラールであり、前記可塑剤はフタル酸ブチルベンジルであり、前記有機溶媒は変性エタノールおよびキシレンを含み、前記焼結は真空下で行われる、請求項１１に記載の方法。
【請求項１３】
透明セラミック酸化材料を形成する方法であって、
セラミック酸化物、分散剤および有機溶媒の混合物を形成する工程と、
前記混合物を粉砕して、第１のスラリーを生成する工程と、
前記第１のスラリーと、有機結合剤および可塑剤とを混合して、処理されたスラリーを形成する工程と、
前記処理されたスラリーを粉砕して、粉砕されたスラリーを生成する工程と、
前記粉砕されたスラリーをテープキャスティングして、成形テープを生成する工程と、
前記成形テープを乾燥して、乾燥テープを生成する工程と、
前記乾燥テープの一部を積み重ねて、アセンブリを形成する工程と、
前記アセンブリを圧縮して、プレフォームを生成する工程と、
前記プレフォームを加熱して、緑色のプレフォームを生成する工程と、
前記緑色のプレフォームを焼結して、透明セラミック酸化材料を生成する工程と、を含む方法。
【請求項１４】
前記セラミック酸化物は、Ａｌ２Ｏ３、酸化インジウム、酸化タリウム、ケイ素アルミニウム酸窒化物、イットリウムアルミニウムガーネット、酸化セリウム、酸化イットリウム、酸化スカンジウム、酸化ルテチウム、マグネシウムアルミニウムスピネル、酸化ジルコニウム、およびそれらの混合物からなる群より選択される、請求項１３に記載の方法。
【請求項１５】
透明セラミックセグメント化テープを形成する方法であって、
異なる組成の複数の粉砕されたスラリーを形成する工程であって、前記粉砕されたスラリーのうちの少なくとも１つは、セラミック酸化物、分散剤および溶媒の混合物を形成することにより作製される工程と、
前記混合物を粉砕して、第１のスラリーを生成する工程と、
前記第１のスラリーと、結合剤および可塑剤とを混合して、処理されたスラリーを形成する工程と、
前記処理されたスラリーを粉砕して、粉砕されたスラリーを形成する工程と、
前記粉砕されたスラリーを、キャリア上で前記粉砕されたスラリーの各々を同時成形するのに適したドクターブレード装置内付近のリザーバーに堆積させて、セグメント間に接触面を有する複数のテープキャストのセグメントを形成して、セグメント化成形テープを生成する工程と、
前記成形テープを乾燥して、乾燥テープを生成する工程と、
前記乾燥テープの一部を積み重ねて、アセンブリを形成する工程と、
前記アセンブリを圧縮して、プレフォームを生成する工程と、
前記プレフォームを加熱して、緑色のプレフォームを生成する工程と、
前記緑色のプレフォームを焼結して、透明セラミックセグメント化テープを生成する工程と、を含む方法。
【請求項１６】
前記粉砕されたスラリーのうちの少なくとも１つは、Ｙ２Ｏ３およびＡｌ２Ｏ３の混合物を含む、請求項１５に記載の方法。
【請求項１７】
前記粉砕されたスラリーのうちの少なくとも１つは、Ｙ２Ｏ３、Ａｌ２Ｏ３およびドーパントの混合物を含む、請求項１５に記載の方法。
【請求項１８】
生成物の厚さの一部にわたるドーパント勾配を有する透明セラミック生成物を形成する方法であって、
異なる組成の複数の粉砕されたスラリーを形成する工程であって、前記粉砕されたスラリーのうちの少なくとも１つは、セラミック酸化物、ドーパント、分散剤および溶媒の混合物を形成することにより作製される工程と、
前記混合物を粉砕して、複数の第１のスラリーを生成する工程と、
前記第１のスラリーのうちの少なくとも１つと、結合剤および可塑剤とを混合して、処理されたスラリーを形成する工程と、
前記処理されたスラリーを粉砕して、粉砕されたスラリーを形成する工程と、
前記粉砕されたスラリーをテープキャスティングして、異なる組成の複数の成形テープを生成する工程と、
前記成形テープを乾燥して、異なる組成の乾燥テープを生成する工程と、
前記乾燥テープの一部を積み重ねて、前記乾燥テープの複数のアセンブリの厚さを形成する工程と、
前記アセンブリを圧縮して、プレフォームを生成する工程と、
前記プレフォームを加熱して、緑色のプレフォームを生成する工程と、
前記緑色のプレフォームを焼結して、厚さおよび前記セラミック生成物の前記厚さの一部にわたってドーパント勾配を有する透明セラミック生成物を生成する工程と、を含む方法。
【請求項１９】
前記ドーパントは、Ｎｄ３＋、Ｅｒ３＋、およびそれらの混合物からなる群より選択される希土類ドーパントである、請求項１８に記載の方法。